(57)【要約】【課題】チューブを所定の位置に正確に誘導し保持するチューブ誘導ホルダーを提供する。【解決手段】第一ホルダーと第二ホルダーとを備えるチューブ誘導ホルダーであって、前記第一ホルダーは、前記チューブを誘導する少なくとも１つの第一ホルダー側ガイドを有し、前記第二ホルダーは、前記チューブを誘導する少なくとも１つの第二ホルダー側ガイドを有し、前記第一ホルダー側ガイドと前記第二ホルダー側ガイドを対向させ、前記第一ホルダー側ガイドと前記第二ホルダー側ガイドとの間に前記チューブを位置させた状態で、前記第一ホルダーと前記第二ホルダーを近接させることにより、前記チューブを所定の位置に誘導して保持する。【選択図】図１
2019150076.tif 000002
【特許請求の範囲】
【請求項１】
第一ホルダーと第二ホルダーとを備えるチューブ誘導ホルダーであって、
前記第一ホルダーは、前記チューブを誘導する少なくとも１つの第一ホルダー側ガイドを有し、
前記第二ホルダーは、前記チューブを誘導する少なくとも１つの第二ホルダー側ガイドを有し、
前記第一ホルダー側ガイドと前記第二ホルダー側ガイドを対向させ、前記第一ホルダー側ガイドと前記第二ホルダー側ガイドとの間に前記チューブを位置させた状態で、前記第一ホルダーと前記第二ホルダーを近接させることにより、前記チューブを所定の位置に誘導して保持することを特徴とするチューブ誘導ホルダー。
【請求項２】
前記第一ホルダー側ガイドは前記チューブを前記所定の位置に誘導する少なくとも１つの傾斜部を有し、
前記第二ホルダー側ガイドは前記チューブを前記所定の位置に誘導する少なくとも１つの傾斜部を有する請求項１記載のチューブ誘導ホルダー。
【請求項３】
前記第一ホルダーは、前記所定の位置を有するホルダーであり、前記第一ホルダーが前記第二ホルダー方向へ移動することにより、または前記第二ホルダーが前記第一ホルダー方向へ移動することにより、前記チューブを前記第一ホルダーの前記所定の位置に誘導する請求項１または２記載のチューブ誘導ホルダー。
【請求項４】
前記第一ホルダーは前記第二ホルダー方向へ平行移動可能に構成され、または第二ホルダーは前記第一ホルダー方向へ平行移動可能に構成されている請求項３記載のチューブ誘導ホルダー。
【請求項５】
前記第一ホルダーは前記第二ホルダー方向へ回転移動可能に構成され、または前記第二ホルダーは前記第一ホルダー方向へ回転移動可能に構成されている請求項３記載のチューブ誘導ホルダー。
【請求項６】
前記第一ホルダーは、前記チューブが誘導される所定の溝を備える請求項１〜５の何れか一項に記載のチューブ誘導ホルダー。
【請求項７】
前記第二ホルダーは、前記チューブを前記所定の溝に押し込む押し子を備える請求項６に記載のチューブ誘導ホルダー。
【請求項８】
前記第一ホルダーは、前記チューブの外から前記チューブ内をセンシングするセンサーを備える請求項１〜７の何れか一項に記載のチューブ誘導ホルダー。
【発明の詳細な説明】
【技術分野】
【０００１】
本発明は、チューブを所定の位置に誘導し保持するチューブ誘導ホルダーに関するものである。
【背景技術】
【０００２】
従来、血液を体外循環させて浄化する血液浄化装置は、血液を体外循環させる際に用いる体外循環用チューブ内に気泡が混入したことを検出する気泡センサーや体外循環用チューブの内圧を検出する圧力センサーを備えている。ここで気泡センサーによる気泡の検出や圧力センサーによるチューブ内の内圧の検出を行うためには、気泡センサーや圧力センサーが設けられている所定の溝に体外循環用チューブをセットする必要がある。
【０００３】
なお輸液チューブ内の気泡を気泡センサーにより検出するために、医療従事者が輸液ポンプのチューブ装着部に輸液チューブを手動でセットすることについては特許文献１に開示されている。
【先行技術文献】
【特許文献】
【０００４】
【特許文献１】特許第５７４０１８７号公報
【発明の概要】
【発明が解決しようとする課題】
【０００５】
しかしながら、上述の血液浄化装置においては、体外循環用チューブを所定の溝へ手動によりセットするため手間がかかるという問題があった。また体外循環用チューブの位置ずれを自動的に補正することができないため、体外循環用チューブの所定の溝へのセットの自動化が困難であった。
【０００６】
本発明の目的は、チューブを所定の位置に正確に誘導し保持することができるチューブ誘導ホルダーを提供することである。
【課題を解決するための手段】
【０００７】
請求項１記載のチューブ誘導ホルダーは、第一ホルダーと第二ホルダーとを備えるチューブ誘導ホルダーであって、前記第一ホルダーは、前記チューブを誘導する少なくとも１つの第一ホルダー側ガイドを有し、前記第二ホルダーは、前記チューブを誘導する少なくとも１つの第二ホルダー側ガイドを有し、前記第一ホルダー側ガイドと前記第二ホルダー側ガイドを対向させ、前記第一ホルダー側ガイドと前記第二ホルダー側ガイドとの間に前記チューブを位置させた状態で、前記第一ホルダーと前記第二ホルダーを近接させることにより、前記チューブを所定の位置に誘導して保持することを特徴とする。
【０００８】
請求項２記載のチューブ誘導ホルダーは、請求項１記載のチューブ誘導ホルダーにおいて、前記第一ホルダー側ガイドは前記チューブを前記所定の位置に誘導する少なくとも１つの傾斜部を有し、前記第二ホルダー側ガイドは前記チューブを前記所定の位置に誘導する少なくとも１つの傾斜部を有する。
【０００９】
請求項３記載のチューブ誘導ホルダーは、請求項１または２記載のチューブ誘導ホルダーにおいて、前記第一ホルダーは、前記所定の位置を有するホルダーであり、前記第一ホルダーが前記第二ホルダー方向へ移動することにより、または前記第二ホルダーが前記第一ホルダー方向へ移動することにより、前記チューブを前記第一ホルダーの前記所定の位置に誘導する。
【００１０】
請求項４記載のチューブ誘導ホルダーは、請求項３記載のチューブ誘導ホルダーにおいて、前記第一ホルダーは前記第二ホルダー方向へ平行移動可能に構成され、または第二ホルダーは前記第一ホルダー方向へ平行移動可能に構成されている。
【００１１】
請求項５記載のチューブ誘導ホルダーは、請求項３記載のチューブ誘導ホルダーにおいて、前記第一ホルダーは前記第二ホルダー方向へ回転移動可能に構成され、または前記第二ホルダーは前記第一ホルダー方向へ回転移動可能に構成されている。
【００１２】
請求項６記載のチューブ誘導ホルダーは、請求項１〜５の何れか一項に記載のチューブ誘導ホルダーにおいて、前記第一ホルダーが前記チューブが誘導される所定の溝を備える。
【００１３】
請求項７記載のチューブ誘導ホルダーは、請求項６記載のチューブ誘導ホルダーにおいて、前記第二ホルダーが前記チューブを前記所定の溝に押し込む押し子を備える。
【００１４】
請求項８記載のチューブ誘導ホルダーは、請求項１〜７の何れか一項に記載のチューブ誘導ホルダーにおいて、前記第一ホルダーが前記チューブの外から前記チューブ内をセンシングするセンサーを備える。
【発明の効果】
【００１５】
請求項１記載の発明によれば、第一ホルダー側ガイドと第二ホルダー側ガイドを対向させ、第一ホルダー側ガイドと第二ホルダー側ガイドとの間にチューブを位置させた状態で、第一ホルダーと第二ホルダーを近接させることにより、チューブを所定の位置に正確に誘導して保持することができる。
【００１６】
請求項２記載の発明によれば、第一ホルダー側ガイドが有する少なくとも１つの傾斜部及び第二ホルダー側ガイドが有する少なくとも１つの傾斜部によりチューブを所定の位置に誘導することができる。
【００１７】
請求項３記載の発明によれば、第一ホルダーを第二ホルダー方向へ移動させるだけで、または第二ホルダーを第一ホルダー方向へ移動させるだけでチューブを所定の位置に正確に誘導することができる。
【００１８】
請求項４記載の発明によれば、第一ホルダーを第二ホルダー方向へ平行移動させるだけで、または第二ホルダーを第一ホルダー方向へ平行移動させるだけでチューブを所定の位置に正確に誘導することができる。
【００１９】
請求項５記載の発明によれば、第一ホルダーを第二ホルダー方向へ回転移動させるだけで、または第二ホルダーを第一ホルダー方向へ回転移動させるだけでチューブを所定の位置に正確に誘導することができる。
【００２０】
請求項６記載の発明によれば、第一ホルダーを第二ホルダー側へ移動させるだけで、または第二ホルダーを第一ホルダー側へ移動させるだけで第一ホルダーの所定の溝にチューブを誘導することができる。
【００２１】
請求項７記載の発明によれば、押し子によりチューブを所定の溝に押し込むため、チューブを確実に所定の溝内に位置させることができる。
【００２２】
請求項８記載の発明によれば、第一ホルダーを第二ホルダー側へ移動させるだけで、または第二ホルダーを第一ホルダー側へ移動させるだけでセンサーによりチューブ内をセンシング可能な位置にチューブを誘導することができる。
【図面の簡単な説明】
【００２３】
【図１】実施の形態に係るチューブ誘導ホルダー（チューブ保持前）の斜視図である。
【図２】実施の形態に係るチューブ誘導ホルダー（チューブ保持後）の斜視図である。
【図３】実施の形態に係るチューブ誘導ホルダー（チューブ保持後）の側面を示す図である。
【図４】実施の形態に係るチューブ誘導ホルダーによるチューブの誘導の状態を示す図である。
【図５】実施の形態に係る血液浄化装置及び体外循環用カセットを示す斜視図である。
【図６】実施の形態に係る血液浄化装置に体外循環用カセットを装着した状態を示す斜視図である。
【図７】実施の形態に係る体外循環用カセットの平面図である。
【図８】他の実施の形態に係るチューブ誘導ホルダー（チューブ保持前）の斜視図である。
【図９】他の実施の形態に係るチューブ誘導ホルダー（チューブ保持前）の斜視図である。
【図１０】他の実施の形態に係るチューブ誘導ホルダー（チューブ保持前）の斜視図である。
【発明を実施するための形態】
【００２４】
以下、図面を参照して、実施の形態に係るチューブ誘導ホルダーについて説明する。図１は実施の形態に係るチューブ誘導ホルダー（チューブ保持前）の斜視図である。
【００２５】
図１に示すようにチューブ誘導ホルダー２は、チューブ４を所定の位置に誘導し保持する第一ホルダー６と第二ホルダー８とを備えている。第一ホルダー６は、所定の位置に固定された受け側のホルダーであり、２つのハの字型ガイド（第一ホルダー側ガイド）６ａ，６ｂを有している。即ち平面視矩形状のベース部６ｃの長手方向の両端部に、それぞれハの字型ガイド６ａ，６ｂが設けられている。ここでハの字型ガイド６ａ，６ｂは、それぞれベース部６ｃの側壁方向に広がる２つの傾斜部により構成されている。またハの字型ガイド６ａ，６ｂを構成する２つの傾斜部の間には、ベース部６ｃの長手方向に延びる溝部６ｄが形成されている。
【００２６】
また第一ホルダー６は、チューブ４の外からチューブ４内をセンシングするセンサー７（図３参照）、例えばチューブ４の内圧を検出する圧力センサーやチューブ４内の気泡を検出する気泡センサーを備えている。
【００２７】
第二ホルダー８は、第一ホルダー６側、即ち図１に示す矢印方向へ平行移動し、チューブ４を第一ホルダー６の溝部６ｄに誘導して押し込む押し込み側のホルダーであり、２つのハの字型ガイド（第二ホルダー側ガイド）８ａ，８ｂを有している。即ち平面視矩形状のベース部８ｃの長手方向の両端部には、それぞれハの字型ガイド８ａ，８ｂが設けられている。ここでハの字型ガイド８ａ，８ｂは、それぞれベース部８ｃの側壁方向に広がる２つの傾斜部により構成されている。
【００２８】
第二ホルダー８の２つのハの字型ガイド８ａ，８ｂの間隔は、第一ホルダー６の２つのハの字型ガイド６ａ，６ｂの間隔よりも広く形成されている。即ち第一ホルダー６と第二ホルダー８によりチューブ４を誘導し保持する際に、第二ホルダー８の２つのハの字型ガイド８ａ，８ｂが第一ホルダー６の２つのハの字型ガイド６ａ，６ｂの外側に位置するように形成されている。
【００２９】
またハの字型ガイド８ａ，８ｂを構成する２つの傾斜部の間には、ベース部８ｃの長手方向に延びる溝部８ｄが設けられている。また溝部８ｄ内には、所定の高さを有する押し子８ｅが設けられている。ここで押し子８ｅは、溝部８ｄの底部よりも第一ホルダー６側に突出する高さで形成されている。更に第二ホルダー８の側壁の両端部近傍には、第一ホルダー６のハの字型ガイド６ａ，６ｂの先端部が位置する凹部８ｆが形成されている。
【００３０】
図２はチューブ誘導ホルダー（チューブ保持後）の斜視図であり、図３はチューブ誘導ホルダー（チューブ保持後）の側面を示す図である。
【００３１】
チューブ誘導ホルダー２は、第一ホルダー６の２つのハの字型ガイド６ａ，６ｂと第二ホルダー８の２つのハの字型ガイド８ａ，８ｂを対向させ、第二ホルダー８を第一ホルダー６側、即ち図１に示す矢印方向へ平行移動し第二ホルダー８を第一ホルダー６に近接させた時に、第二ホルダー８の側壁の両端部近傍に形成された凹部８ｆに第一ホルダー６のハの字型ガイド６ａ，６ｂの先端部が位置する。この場合に第一ホルダー６の２つのハの字型ガイド６ａ，６ｂと第二ホルダー８の２つのハの字型ガイド８ａ，８ｂとの間に位置するチューブ４を第一ホルダー６の２つのハの字型ガイド６ａ，６ｂと第二ホルダー８の２つのハの字型ガイド８ａ，８ｂにより所定の位置に誘導して保持する。
【００３２】
即ち第二ホルダー８をチューブ４の径方向である第一ホルダー６側へ平行移動させていくと（図４（ａ）参照）、第二ホルダー８のハの字型ガイド８ａ，８ｂによりチューブ４が拾い上げられ、チューブ４がハの字型ガイド８ａ，８ｂから第一ホルダー６の２つのハの字型ガイド６ａ，６ｂに受け渡される（図４（ｂ）参照）。そして第二ホルダー８のハの字型ガイド８ａ，８ｂによりチューブ４を溝部６ｄに誘導した後（図４（ｃ）参照）、押し子８ｅによりチューブ４を溝部６ｄに押し込む（図４（ｄ）参照）。
【００３３】
従って、この実施の形態に係るチューブ誘導ホルダー２によれば、チューブ４の位置がずれている場合においても、チューブ４の位置ずれを補正し噛みこむことなく正確に溝部６ｄに誘導することができることから、チューブ４をセットする手間を省力することができ、操作性の向上を図ることができる。また押し子８ｅは、溝部８ｄの底部よりも第一ホルダー６側に突出する高さで形成されているため、チューブ４を第一ホルダー６の溝部６ｄの底まで確実に押し込むことができる。
【００３４】
図５は血液浄化装置及び体外循環用カセットを示す斜視図である。血液浄化装置２０は、患者から採取した血液を体外循環させて浄化する装置である。血液浄化装置２０の前面には、体外循環用カセット２２を挿入して装着するカセットスロット２０ａが設けられている。カセットスロット２０ａ内の後述する所定の位置には、チューブ４を所定の位置に誘導するチューブ誘導ホルダー２が配置されている。なお以下の説明においては、チューブ誘導ホルダー２により血液回路３０に設けられている血液チューブアクセス部３０ａ，３０ｂを所定の位置に誘導することについて説明する。
【００３５】
体外循環用カセット２２は、血液浄化装置２０のカセットスロット２０ａに装着した際に、カセットスロット２０ａ内に挿入されるチューブ収納部２４及びダイアライザー２６を保持するダイアライザー保持部２８を備えている。チューブ収納部２４の略中央部には、血液浄化装置２０により、後述する血液チューブアクセス部３０ａ，３０ｂ，３０ｃや透析液チューブアクセス部３２ａ，３２ｂの外から内部のセンシングやチューブ内の液体の流量制御等を行う際に、チューブ誘導ホルダー２が適切な位置にセットされる開口部２４ａが形成されている。
【００３６】
チューブ収納部２４は、可撓性のチューブにより構成される血液回路３０及び可撓性のチューブにより構成される透析液回路３２をチューブ収納部２４内に収納する。ここで血液回路３０は、途中にダイアライザー２６が接続されると共に、血液浄化装置２０により例えば気泡の検出行う際に気泡センサー等が適切な位置にセットされる血液チューブアクセス部３０ａ，３０ｂ，３０ｃを有している。血液回路３０は、血液チューブアクセス部３０ａ，３０ｂ，３０ｃを開口部２４ａに露出させた状態でチューブ収納部２４内に収納されている。また透析液回路３２は、途中にダイアライザー２６が接続されると共に、血液浄化装置２０により例えば漏血の検出を行う際に漏血センサーが適切な位置にセットされる透析液チューブアクセス部３２ａ，３２ｂを有している。透析液回路３２は、透析液チューブアクセス部３２ａ，３２ｂを開口部２４ａに露出させた状態でチューブ収納部２４内に収納されている。
【００３７】
図６に示すように、体外循環用カセット２２を血液浄化装置２０のカセットスロット２０ａに装着すると、血液浄化装置２０内において血液チューブアクセス部３０ａ，３０ｂ，３０ｃ及び透析液チューブアクセス部３２ａ，３２ｂが所定の位置に位置決めされる。
【００３８】
図７は、体外循環用カセット２２を血液浄化装置２０のカセットスロット２０ａに挿入し、血液チューブアクセス部３０ａ，３０ｂがそれぞれチューブ誘導ホルダー２の第一ホルダー６と第二ホルダー８との間に位置決めされた状態を示している。即ち体外循環用カセット２２を血液浄化装置２０のカセットスロット２０ａに挿入した時点では、図１に示すように、チューブ誘導ホルダー２の第一ホルダー６と第二ホルダー８が離間した状態で、第一ホルダー６と第二ホルダー８の間に血液チューブアクセス部３０ａ，３０ｂが位置決めされる。
【００３９】
なお図７においては、図面の手前側に所定の位置に固定された受け側のホルダーである第一ホルダー６が位置し、図面の奥側に第一ホルダー６方向へ移動する押し込み側のホルダーである第二ホルダー８が位置している。即ち対向した２つのハの字型ガイド６ａ，６ｂと２つのハの字型８ａ，８ｂとの間に血液チューブアクセス部３０ａ，３０ｂが位置している。
【００４０】
そして第二ホルダー８を第一ホルダー６側、即ち図７における手前側へ平行移動させ、第二ホルダー８を第一ホルダー６に近接させることにより、血液チューブアクセス部３０ａ，３０ｂを所定の位置に誘導して保持する。この場合に第二ホルダー８のハの字型ガイド８ａ，８ｂにより血液チューブアクセス部３０ａ，３０ｂが第一ホルダー６のハの字型ガイド６ａ，６ｂに受け渡され、第二ホルダー８のハの字型ガイド８ａ，８ｂにより血液チューブアクセス部３０ａ，３０ｂを溝部６ｄに誘導した後、押し子８ｅにより溝部６ｄに押し込む。従って、センサー７により血液チューブアクセス部３０ａ，３０ｂ内をセンシング可能な所定の位置である溝部６ｄに確実に血液チューブアクセス部３０ａ，３０ｂを誘導することができる。
【００４１】
図８はチューブ誘導ホルダーの他の実施の形態を示す斜視図である。チューブ誘導ホルダー４０は、チューブ４を所定の位置に誘導する第一ホルダー４２と第二ホルダー４４とを備えている。第一ホルダー４２は、所定の位置に固定された受け側のホルダーであり、１つのハの字型ガイド４２ａを有している。即ち平面視矩形状のベース部４２ｂの長手方向に延びるハの字型ガイド４２ａが設けられている。またハの字型ガイド４２ａを構成する２つの傾斜部の間には、ベース部４２ｂの長手方向に延びる溝部４２ｃが形成されている。
【００４２】
第二ホルダー４４は、第一ホルダー４２方向へ平行移動し、チューブ４を第一ホルダー４２の溝部４２ｃに誘導して押し込む押し込み側のホルダーであり、２つのハの字型ガイド４４ａ，４４ｂを有している。
【００４３】
このチューブ誘導ホルダー４０においても、第一ホルダー４２の１つのハの字型ガイド４２ａと第二ホルダー４４の２つのハの字型ガイド４４ａ，４４ｂにより、チューブ４を所定の位置（溝部４２ｃ）に正確に誘導し保持することができる。
【００４４】
図９はチューブ誘導ホルダーの他の実施の形態を示す斜視図である。チューブ誘導ホルダー５０は、チューブ４を所定の位置に誘導する第一ホルダー５２と第二ホルダー５４とを備えている。第一ホルダー５２は、所定の位置に固定された受け側のホルダーであり、２つのガイド５２ａ，５２ｂを有している。即ち平面視矩形状のベース部５２ｃの長手方向の両端部に１つの傾斜部を有するガイド５２ａ，５２ｂが設けられている。即ちガイド５２ａ，５２ｂは、ベース部５２ｃの短手方向の一方に形成された傾斜部を有している。またガイド５２ａを構成する傾斜部の下部には、ベース部５２ｃの長手方向に延びる溝部５２ｄが形成されている。
【００４５】
第二ホルダー５４は、第一ホルダー５２方向へ平行移動し、チューブ４を第一ホルダー５２の溝部５２ｄに誘導して押し込む押し込み側のホルダーであり、２つのガイド５４ａ，５４ｂを有している。即ち平面視矩形状のベース部５４ｃの長手方向の両端部に１つの傾斜部を有するガイド５４ａ，５４ｂが設けられている。即ちガイド５４ａ，５４ｂは、ベース部５４ｃの短手方向の一方（ガイド５２ａ，５２ｂの傾斜部が形成されていない側）に形成された傾斜部を有している。
【００４６】
このチューブ誘導ホルダー５０においても、第一ホルダー５２の２つのガイド５２ａ，５２ｂの傾斜部と第二ホルダー５４の２つのガイド５４ａ，５４ｂの傾斜部、即ちガイド５２ａ，５２ｂの傾斜部に向き合う傾斜部により、チューブ４を所定の位置（溝部５２ｄ）に正確に誘導し保持することができる。
【００４７】
図１０はチューブ誘導ホルダーの他の実施の形態を示す斜視図である。チューブ誘導ホルダー６０は、チューブ４を所定の位置に誘導する第一ホルダー６２と第二ホルダー６４とを備えている。第一ホルダー６２は、所定の位置に固定された受け側のホルダーであり、１つのハの字型ガイド６２ａを有している。即ち平面視矩形状のベース部６２ｂの長手方向の略中央部にハの字型ガイド６２ａが設けられている。またガイド６２ａを構成する２つの傾斜部の間には、ベース部６２ｂの長手方向に延びる溝部６２ｃが形成されている。
【００４８】
第二ホルダー６４は、第一ホルダー６２方向へ平行移動し、チューブ４を第一ホルダー６２の溝部６２ｃに誘導して押し込む押し込み側のホルダーであり、２つのハの字型ガイド６４ａ，６４ｂを有している。即ち平面視矩形状のベース部６４ｃの長手方向の両端部に２つの傾斜部を有するハの字型ガイド６４ａ，６４ｂが設けられている。
【００４９】
このチューブ誘導ホルダー６０においても、第一ホルダー６２の１つのハの字型ガイド６２ａと第二ホルダー６４の２つのハの字型ガイド６４ａ，６４ｂにより、チューブ４を所定の位置（溝部６２ｃ）に正確に誘導し保持することができる。
【００５０】
なお、上述の各実施の形態に係るチューブ誘導ホルダー２，４０，５０，６０においては、第一ホルダー６，４２，５２，６２がチューブ４を誘導する１つまたは２つのガイドを有しているが、３つ以上のガイドを有していてもよい。また第二ホルダー８，４４，５４，６４がチューブ４を誘導する２つのガイドを有しているが、１つのガイドを有してもよく、３つ以上のガイドを有してもよい。ガイドは、ハの字型のガイドに限定されるものではなく、図９に示すチューブ誘導ホルダー５０のように、１つの傾斜部を有するガイドであってもよい。更に、ガイドに形成された傾斜部は、湾曲した形状を有していてもよい。
【００５１】
また、上述の実施の形態においては、チューブ誘導ホルダー２（以下の説明においてはチューブ誘導ホルダー４０，５０，６０もチューブ誘導ホルダー２と同様であるため、チューブ誘導ホルダー２についてのみ説明を行う。）の第二ホルダー８は、第一ホルダー６方向へ平行移動するように構成されているが、第二ホルダー８を第一ホルダー６方向へ回転移動可能に構成するようにしてもよい。例えば第一ホルダー６を装置側に固定すると共に、第一ホルダー６が固定されたチューブ配置部を覆う蓋部の内側に第二ホルダー８を固定し、蓋部の一方の端部に設けた回転軸を中心として蓋部回転させ、蓋部を閉めることによりチューブ誘導ホルダー２の第二ホルダー８が第一ホルダー６方向に回転移動し、チューブ４を所定の位置に誘導し保持するようにしてもよい。この場合には蓋部を閉める際に回転軸を中心として蓋部を回転させることにより、第一ホルダー側ガイド６ａ，６ｂと第二ホルダー側ガイド８ａ，８ｂが対向し、第一ホルダー側ガイド６ａ，６ｂと第二ホルダー側ガイド８ａ，８ｂとの間に位置しているチューブ４を第一ホルダー側ガイド６ａ，６ｂと第二ホルダー側ガイド８ａ，８ｂにより所定の位置に誘導し保持する。
【００５２】
また上述の実施の形態においては、チューブ誘導ホルダー２の第一ホルダー６を固定し、第二ホルダー８を第一ホルダー６方向へ平行移動または回転移動させているが、第二ホルダー８を固定し、第一ホルダー６を第二ホルダー６方向へ平行移動または回転移動させるようにしてもよい。
【００５３】
また上述の実施の形態においては、チューブ誘導ホルダー２により血液チューブアクセス部３０ａ，３０ｂをセンサー７によりチューブ内のセンシングが可能な位置に誘導しているが、チューブ誘導ホルダー２により血液チューブアクセス部３０ｃを血液の流量制御を行うチューブポンプ、例えばフィンガーにより血液チューブアクセス部３０ｃをしごくフィンガーポンプの所定の位置に誘導するようにしてもよい。また透析液チューブアクセス部３２ａ,３２ｂを透析液の流量制御を行うチューブポンプ、例えばフィンガーポンプの所定の位置に誘導するようにしてもよい。
【００５４】
また上述の実施の形態においては、チューブ誘導ホルダー２の第二ホルダー８の溝部８ｄ内に所定の高さを有する押し子８ｅが設けられているが、第二ホルダー８の溝部８ｄ内に押し子８ｅを設けなくてもよい。また上述の実施の形態においては、押し子８ｅが溝部８ｄの底部よりも第一ホルダー６側に突出する高さで形成されているが、押し子８ｅの高さによりチューブ４を押し込む位置が定まるため、どこまでチューブ４を押し込むかにより押し子８ｅの高さを適宜選択するようにしてもよい。更に上述の実施の形態においては、第二ホルダー８に溝部８ｄを設けているが、チューブ誘導ホルダー２により血液チューブアクセス部３０ｃをチューブポンプの所定位置に誘導する場合等においては、第二ホルダー８に溝部８ｄを設けなくてもよい。
【００５５】
また上述の実施の形態においては、チューブ誘導ホルダー２の第二ホルダー８の２つのハの字型ガイド８ａ，８ｂの間隔は、第一ホルダー６の２つのハの字型ガイド６ａ，６ｂの間隔よりも広く形成されているが、第二ホルダー８の２つのハの字型ガイド８ａ，８ｂの間隔を第一ホルダー６の２つのハの字型ガイド６ａ，６ｂの間隔よりも狭く形成してもよい。即ち第一ホルダー６と第二ホルダー８によりチューブ４を誘導し保持する際に、第二ホルダー８の２つのハの字型ガイド８ａ，８ｂが第一ホルダー６の２つのハの字型ガイド６ａ，６ｂの内側に位置するように形成してもよい。また第一ホルダー６の２つのハの字型ガイド６ａ，６ｂの間隔と第二ホルダー８の２つのハの字型ガイド８ａ，８ｂの間隔を同一の間隔で形成してもよい。この場合には、第一ホルダー６と第二ホルダー８によりチューブ４を誘導し保持する際に、第二ホルダー８の一方のハの字型ガイドが第一ホルダー６の一方のハの字型ガイド６ａ，６ｂの内側に位置し、第二ホルダー８の他方のハの字型ガイドが第一ホルダー６の他方のハの字型ガイド６ａ，６ｂの外側に位置する。
【００５６】
また上述の各実施の形態においては、チューブ誘導ホルダー２，４０，５０，６０のホルダー６，４２，５２，６２を第一ホルダーとし、ホルダー８，４４，５４，６４を第二ホルダーとして説明したが、チューブ誘導ホルダー２，４０，５０，６０のホルダー６，４２，５２，６２を第二ホルダーとし、ホルダー８，４４，５４，６４を第一ホルダーとしてもよい。
【００５７】
また上述の各実施の形態におけるチューブ誘導ホルダー２を構成する第一ホルダー６及び第二ホルダー８（図１参照）、チューブ誘導ホルダー４０を構成する第一ホルダー４２及び第二ホルダー４４（図８参照）、チューブ誘導ホルダー５０を構成する第一ホルダー５２及び第二ホルダー５４（図９参照）、チューブ誘導ホルダー６０を構成する第一ホルダー６２及び第二ホルダー６４（図１０参照）は、それぞれ図示したような中実な形状に限定されるものではなく、ワイヤ状のもので成型されていてもよい。
【００５８】
また上述の各実施の形態においては、チューブ誘導ホルダーを血液浄化装置の血液回路の血液チューブアクセス部を誘導して保持するものとして説明したが、チューブ誘導ホルダーを医療機器以外の他の技術分野で用いられる装置のチューブの誘導保持に用いてもよい。
【符号の説明】
【００５９】
２…チューブ誘導ホルダー、４…チューブ、６…第一ホルダー、６ａ，６ｂ…ハの字型ガイド、６ｄ…溝部、７…センサー、８…第二ホルダー、８ａ，８ｂ…ハの字型ガイド、８ｄ…溝部、８ｅ…押し子、２０…血液浄化装置、２０ａ…カセットスロット、２２…体外循環用カセット、２４…チューブ収納部、２４ａ…開口部、２６…ダイアライザー、３０…血液回路、３０ａ，３０ｂ，３０ｃ…血液チューブアクセス部、３２…透析液回路、３２ａ,３２ｂ…透析液チューブアクセス部
【図１】
2019150076.tif 000003
【図２】
2019150076.tif 000004
【図３】
2019150076.tif 000005
【図４】
2019150076.tif 000006
【図５】
2019150076.tif 000007
【図６】
2019150076.tif 000008
【図７】
2019150076.tif 000009
【図８】
2019150076.tif 000010
【図９】
2019150076.tif 000011
【図１０】
2019150076.tif 000012